(57)【要約】  【課題】ネックレス類を首に掛けた状態のままで、指輪を簡単にペンダントトップに対して着脱することができ、これにより指輪の紛失を簡単、確実に防止できるようにする。  【解決手段】ネックレス類１にペンダントトップ２を付帯させてなる装身具であって、その付帯状態を解除することなく指輪３を着脱可能に保持する指輪保持部２２をペンダントトップ２の一部に設けることとした。  【選択図】図１
2008113970.tif 000002
【特許請求の範囲】
【請求項１】
ネックレス類にペンダントトップを付帯させてなる装身具であって、その付帯状態を解除することなく指輪を着脱可能に保持する指輪保持部をペンダントトップの一部に設けたことを特徴とする装身具。
【請求項２】
指輪保持部が、着用時に環状の指穴を引っ掛けその指穴を着用者の前方に向けてペンダントトップから一部表出させた状態で指輪を保持し得るものであることを特徴とする請求項１記載の装身具。
【請求項３】
指輪保持部に指輪を位置づけるための挿脱口が、着用時に正面から視認されない状態となることを特徴とする請求項２記載の装身具。
【請求項４】
挿脱口が開閉部材によって通常閉状態とされ、必要に応じ開閉部材に所定の操作を加えることによって開成させ得るようにしたものであることを特徴とする請求項３記載の装身具。
【請求項５】
挿脱口が常時開状態とされ、指輪を指輪保持部に位置づけるまでの間に湾曲ないし屈曲した狭窄路を通過させるようにしたものであることを特徴とする請求項３記載の装身具。
【請求項６】
指輪保持部が、ペンダントトップの本体部と、この本体部に軸部を挿脱することによって脱着可能な保持体とから構成され、保持体の軸部を本体部に装着した状態で、軸部の外周に装着した指輪を本体部と保持体との隙間に保持するようにしていることを特徴とする請求項１記載の装身具。
【請求項７】
保持体はペンダントトップの本体部から離脱させた状態で軸部とともに複数に分割可能であって、各分割片は本体部を通過させたネックレス類に繋がれており、各々の分割片に指輪を挿し通した後に分割片を集合させることによって指輪を軸部の外周に配置し、その状態で軸部を本体部に装着するようにしていることを特徴とする請求項６記載の装身具。
【請求項８】
請求項１〜７記載の装身具を構成するものであって、ネックレス類を挿し通すことの可能な挿通部と、指輪を着脱可能に保持する指輪保持部とを備えてなることを特徴とするペンダントトップ。
【発明の詳細な説明】
【技術分野】
【０００１】
本発明は、指輪の紛失を防ぎ、ペンダントトップの装飾機能も高め得るようにした装身具及びペンダントトップに関するものである。
【背景技術】
【０００２】
従来のネックレス類には、チェーンや貴金属製のワイヤ部材をリング状に形成したもの等が多用されている。しかし、それのみでは単調であるため、種々の下げ飾りを吊り下げて装飾性を高めることが行われている。
【０００３】
その一環として、ダイヤやルビー等の高価な宝石類が装着され非常に装飾性の高い指輪を利用して、かかる指輪をネックレス類にはめ込んだり、吊り下げる試みもなされている。
【０００４】
例えば、特許文献１に示す装身具は、指輪をネックレス類に取り付ける機構を備えたもので、ネックレス類の所定位置において上記指輪の宝石類が装着された面が常に正面を向くように工夫されている。
【０００５】
この取り付け機構は、指輪のリング部分の内側に弾性的に装着可能であり、その適所にネックレス類を取り付け可能なネックレス等保持部を有する駒部材を備え、この駒部材を指輪のリング部分内周に装着するとともに、駒部材のネックレス等保持部にネックレス類を取り付けるようにしている。
【特許文献１】特開２００１−１２０３１５号公報
【発明の開示】
【発明が解決しようとする課題】
【０００６】
ところで、指輪を身につけておくことが適切ではないシーン、例えば職場や家事における作業時などには、指輪を一時的にポケット等に入れて保管しておくことが日常的に行われている。このような場合に、指輪を落として紛失したり、日数が経って収納場所がわからなくなり結局見つからなくなるケースも多々ある。指輪は、単に高価というだけに止どまらず、何物にも替えがたい想いや思い出等のこもったものが少なくないため、紛失は経済的な損失のみならず、精神的なダメージや人間関係を損ねることにもつながりかねない。
【０００７】
このような不都合を解消するために、上記特許文献１の構造を利用して指輪を駒部材に装着すれば、指輪を紛失から守る効果は一応期待することはできる。
【０００８】
しかしながら、かかる特許文献１の取り付け機構は、指輪を定常的にネックレス類に取り付けて装身具とする発想であって、あくまで指に嵌めて使用する態様を主とするものではない。すなわち、駒部材を指輪のリング部分内周に対し着脱する際には、指輪をネックレス類に挿し通すために駒部材をネックレス類から外さなければならないため、指輪を頻繁に着脱する使い方には不向きなものである。
【０００９】
本発明は、このような用途に好適に適合し得る新規有用な装身具を提供することを目的としている。
【課題を解決するための手段】
【００１０】
本発明は、かかる目的を達成するために、次のような手段を講じたものである。
【００１１】
すなわち、本発明の装身具は、ネックレス類にペンダントトップを付帯させてなるものであって、その付帯状態を解除することなく指輪を着脱可能に保持する指輪保持部をペンダントトップの一部に設けたことを特徴とする。
【００１２】
このように、装身具のネックレス類に付帯するペンダントトップの一部に上記の指輪保持部を備えておけば、逐一ペンダントトップをネックレス類から取り外さずとも指輪の着脱が可能となる。このため、頻繁に指輪の着脱を行っても煩わしさがなく、平素は指に嵌めて使用し、必要に応じ一時的に指輪を外して仮保持しておく用途に極めて有効なものとなる。
【００１３】
着用状態で指輪が前後方向に嵩張らないようにし、なおかつ装飾性をも高め得るようにするためには、指輪保持部が、着用時に環状の指穴を引っ掛けその指穴を着用者の前方に向けてペンダントトップから一部表出させた状態で指輪を保持し得るものであることが望ましい。
【００１４】
特に、ペンダントトップの外観を毀損せず、指輪を装着していない状態で通常のペンダントトップとして美観を損なわないように使えて、指輪の着脱容易性を確保するためには、指輪保持部に指輪を位置づけるための挿脱口が、着用時に正面から視認されない状態となることが望ましい。
【００１５】
挿脱口への指輪の着脱容易性を担保する構造としては、挿脱口が開閉部材によって通常閉状態とされ、必要に応じ開閉部材に所定の操作を加えることによって開成させ得るようにしているものや、挿脱口が常時開状態とされ、指輪を指輪保持部に位置づけるまでの間に湾曲ないし屈曲した狭窄路を通過させるようにしているものが挙げられる。
【００１６】
ペンダントトップをネックレス類から取り外さずとも指輪の着脱が可能となる機能を維持しつつ、指輪の幅違いに容易に対応でき、しかも使用状態で軸部がほぼ鉛直に配置された場合に宝石類が装着された面を正面に配置して装飾機能をも期待できるようにするためには、指輪保持部が、ペンダントトップの本体部と、この本体部に軸部を挿脱することによって脱着可能な保持体とから構成され、保持体の軸部を本体部に装着した状態で、軸部の外周に装着した指輪を本体部と保持体との隙間に保持するようにしておくことが好ましい。
【００１７】
特に、保持体はペンダントトップの本体部から離脱させた状態で軸部とともに複数に分割可能であって、各分割片は本体部を通過させたネックレス類に繋がれており、各々の分割片に指輪を挿し通した後に分割片を集合させることによって指輪を軸部の外周に配置し、その状態で軸部を本体部に装着するようにしていることが具体的構造として好適である。
【００１８】
既存のネックレス類を利用する態様としては、ネックレス類を挿し通すことの可能な挿通部と、指輪を着脱可能に保持する指輪保持部とを備えたペンダントトップを構成することが好ましい。
【発明の効果】
【００１９】
本発明は、以上説明した構成であるから、ネックレス類を首に掛けた状態のままで、指輪を簡単にペンダントトップに対して着脱することができ、これにより指輪の紛失を簡単、確実に防止できるようにした新規有用な装身具及びペンダントトップを提供することが可能となる。
【発明を実施するための最良の形態】
【００２０】
以下、本発明のいくつかの実施形態を、図面を参照して説明する。
（第１実施形態）
【００２１】
図１及び図２に示す装身具は、ネックレス類１にペンダントトップ２を付帯させて構成される。図中において、符合Ｆは正面側（すなわち着用者と対面した人から見える側）を示し、符号Ｂはその反対側である裏面側を示している。他の図においても同様である。
【００２２】
ネックレス類１は、貴金属製のワイヤ部材をリング状に形成したもので、首の後ろで端部同士が脱着可能であり、端部を引き離した状態でペンダントトップ２を挿し通し、吊り下げて使用することができるようにしている。勿論、チェーンタイプのネックレス類等も利用可能である。
【００２３】
ペンダントトップ２は、鉄やアルミを始めとする各種金属、合金、樹脂など種々の素材により構成することが可能であり、ここではネックレス類１を挿し通すことの可能な挿通部２１と、指輪３を着脱可能に保持する指輪保持部２２とを本体部２ｘに備える。指輪３は環状部の一部にダイヤやルビー等の宝石３ａが取り付けられている。本体部２ｘは、下向きＵ字状に湾曲する頂壁２３ａ、この頂壁２３ａの前部に滑らかに連続する前壁２３ｂ、及びこの前壁２３ｂの下方に連続する底壁２３ｃからなる。本体部２ｘの背面側にあって頂壁２３ａの後部と底壁２３ｃの後部の間に存する挿脱口２４を開閉する位置には、板状の開閉部材２５が設けられている。この開閉部材２５は本体部２ｘの底壁２３ｃの後部に支軸ｍを介して基端２５ａを回転可能に取り付けられ、先端２５ｂを本体部２ｘの挿脱口２４の縁部内側に図示しないキックバネにより弾性的に押し付けられて挿脱口２４を閉止する。その開閉部材２５をバネ力に抗して図３に想像線で示すように内側に押圧すると、挿脱口２４が開き、そこから指輪３の環状部を通過させて内部に挿入することができる。そして、挿入後に操作力を解除することにより、開閉部材２５は挿脱口２４を閉止し、指輪３は本体部２ｘの略水平な底壁２３ｃに引っ掛かるように吊り下げられて保持される。上記底壁２３ｃ、前壁２３ｂ、頂壁２３ａ及び開閉部材２５によって周回する部分およびその内側の中空部２ｚが、本発明の指輪保持部２２として機能する。
【００２４】
ネックレス類１の挿通部２１は、本体部２ｘの上部に取り付けた湾曲板状の部材２１ａと本体部２ｘとの間に形成され、本体部２ｘの中空部２ｚの開口方向と同じ方向に開口するものとなっている。
【００２５】
このように本実施形態は、装飾機能を備えたペンダントトップ２をネックレス類１に付帯させて装身具を構成するにあたり、上記の如き指輪保持部２２をペンダントトップ２の一部に備えているので、逐一ペンダントトップ２をネックレス類１から取り外さずとも指輪３の着脱が可能となる。このため、頻繁に指輪３の着脱を行っても煩わしさがなく、一時的に指輪３を外して仮保持しておくことで紛失を防ぎ、必要になれば即座にペンダントトップ２から外して指に嵌め直すことができるので、家事や仕事をする際の保管に極めて好適に適合し得るものとなる。
【００２６】
また、指輪保持部２２が、着用時に環状の指穴を引っ掛けその指穴を着用者の前方に向けてペンダントトップ２から一部表出させた状態で指輪３を保持し得るものであるため、着用状態で指輪３が前後方向に嵩張らない状態となって邪魔にならず、なおかつ指輪３に宝石３ａ等が付帯していて自重により宝石３ａが最下位置にて安定するので、指輪３の本来の装飾性もあいまって、下げ飾りのような高い装飾効果を期待することができる。
【００２７】
特に、指輪保持部２２に指輪３を位置づけるための挿脱口２４が、着用時に着用者側に位置して図２に示すように正面Ｆ側から視認されない状態となり、着用者が胸元からペンダントトップ２を少し前に持ち出せば挿脱口２４を視認することができるので、ペンダントトップ２の良好な外観を有効に維持すると同時に、着脱容易性の実効を図ることができる。勿論、指輪３を装着していないときは、通常のペンダントトップ２として美観を損なわないので、本来の装飾機能も担保することができる。
【００２８】
また、挿脱口２４が開閉部材２５によって通常「閉」状態とされ、必要に応じ開閉部材２５に所定の操作を加えることによって開成させ得るものであるので、挿脱口２４への指輪３の着脱容易性を有効に担保することができる。
【００２９】
なお、本体部２ｘや開閉部材２５の内面には、指輪３がペンダントトップと接触して傷ついたり、あるいは接触時の金属接触による異音の発生等を避けるための適宜のコーティング層を設けておくことが望ましい。以下の各ペンダントトップにおいても指輪が接触する部位については同様である。
【００３０】
また、図４に示すペンダントトップ１０２のように、本体部１０２ｘを構成する頂壁１２３ａ、前壁１２３ｂ及び底壁１２３ｃが側面視コ字状をなすものなど、その形状は種々に設定が可能である。
【００３１】
さらに、図５に示すペンダントトップ２０２のように、開閉部材２２５が外側に開いて挿脱口２２４を開成させるように構成することもできる。図示例の場合は、開閉部材２２５の回転中心が上方に位置しており、その外面が本体部２０２ｘに設けた後壁２２３ｄの外面に面一に連続する状態で挿脱口２２４を閉止するように構成してある。図１において閉止時に外面が面一となるように構成することは勿論可能である。
（第２実施形態）
【００３２】
図６に示す装身具も、ネックレス類１にペンダントトップ３０２を付帯させて構成され、その付帯状態を解除することなく指輪３を着脱可能に保持する指輪保持部３２２をペンダントトップ３０２の一部に設けている。そして、その指輪保持部３２２が着用時に環状の指穴を引っ掛けその指穴を着用者の前方（正面Ｆ側）に向けてペンダントトップ３０２から一部表出させた状態で指輪３を保持し得る点、指輪保持部３２２に指輪３を位置づけるための挿脱口３２４が着用時に正面から視認されない状態となる点で、上記第１実施形態と同様である。
【００３３】
そして、この実施形態の装身具は、ペンダントトップ３０２の本体部３２２ｘが、指輪３を下方に開口する挿脱口３２４から直線状に挿入するための第１の通路３３１と、この第１の通路３３１から指輪３を姿勢を変えずに頂壁３２３ａに沿って移動させる第２の通路３３２と、この第２の通路３３２から前記第１の通路３３１の挿入方向とほぼ反対方向に指輪３を移動させて底壁３２３ｃに落とし込む第３の通路３３３とからなる屈曲した狭窄路３００を備えている。すなわち、このペンダントトップ３０２は、挿脱口３２４が常時「開」状態とされ、指輪３を指輪保持部３２２に保持させるまでの間に迷路状に屈曲した狭窄路３００を通過させるようにしている。図において符合３２３ｅで示すものは、外壁との間に上記狭窄路３００を形成し且つ底壁３２３ｃから起立して指輪３を安定して保持するための内壁である。
【００３４】
このように構成しても、逐一ペンダントトップ３０２をネックレス類１から取り外さずに指輪３の着脱ができるので、頻繁に着脱を行っても煩わしさがなく、一時的に指輪３を外して仮保持しておく用途に極めて好適に適合するものとなる。また、指輪３が前後方向に嵩張らず、下げ飾り的な効果も得られる点、外観を毀損せずに着脱容易性の実効が図れる点も、前記実施形態と同様である。特に、このものは開閉部材のようなものを備えず、単に指輪３を挿入して狭窄路３００を移動させるだけで指輪保持部３２２に引っ掛けるように吊り下げることができるのに対して、指輪３が外れるためには、指輪３を鉛直上方に持ち上げた後、水平方向に動かして、鉛直下方に引き下ろすという過程を経なければ指輪保持部３２２から抜き取ることができず、指輪３を把持した状態でこのような操作を意図的に行わない限り不慮に指輪３が狭窄路３００を逆方向に移動して抜け落ちることは殆ど不可能であるので、挿脱容易性と指輪３の確実な保持状態とを好適に両立させることが可能となる。
【００３５】
なお、図７に示すペンダントトップ４０２のように、挿脱口４２４が背面側の上部に位置して常時「開」状態とされ、指輪３を指輪保持部４２２に保持させるまでの間に渦巻き状にカールして湾曲する狭窄路４００を通過させるようにしても有効である。この狭窄路４００を、指輪３の環状部の厚み寸法よりも若干大きい程度の幅に設定しておき、狭窄路４００の内方端に大きな空洞Ｓを形成しておけば、この空洞Ｓから狭窄路４００に入るためには指輪３を図中想像線で示すようにある角度に傾けた状態で狭窄路４００の内方端から指輪３の開口方向に移動させなければならず、指輪３を把持した状態でこのような操作を意図的に行わない限り不慮に指輪３が空洞Ｓ内から狭窄路４００に出ることは殆ど不可能であるので、この構造によっても指輪３の挿脱容易性と指輪３の確実な保持状態とを好適に両立させることができる。挿脱口４２４が背面側の上部に常時「開」状態で位置する点も操作性を一層高め得るものとなる。さらにこの構造の指輪保持部４２２であれば、指輪３を狭窄路４００を介して落とし込むだけであり、蓋部材もなければ内壁もないシンプルな構造であるため、同図中想像線で示すように指輪３´が幅広である場合にも狭窄路４００を容易に通過させて空洞Ｓに適切に収容できる利点を有する。
（第３実施形態）
【００３６】
図８（ａ）に示す装身具も、ネックレス類１にペンダントトップ５０２を付帯させて構成され、その付帯状態を解除することなく指輪３を着脱可能に保持する指輪保持部５２２をペンダントトップ５０２の一部に設けている点で、上記第１、第２実施形態と同様である。
【００３７】
但し、このものは特に指輪の幅違いに対応すべく、ペンダントトップ５０２の本体部５０２ｘの下方に保持体５００を凹凸構造の下に装着することによって、本体部５０２ｘと保持体５００との間に環状の指穴を上下方向に向けた状態で指輪３を保持する指輪保持部５２２を構成している。
【００３８】
具体的には、本体部５０２ｘは、下端側に円筒状の開口を有したもので、ネックレス類１は首の左右から回りこんだ端部がそれぞれ頂壁５２３ａに設けた孔５２３ａｘを通過して中空部５２２側に引き込んである。保持体５００は一対の分割片５００ａに分割可能であって、集合状態で本体部５０２ｘとほぼ同径であって且つ一般的なサイズの指輪３よりも大径な外形を有する底盤部５００ｘを形成し、その上方に前記中空部５２２に嵌合し得るやや小径な軸部５００ｂを設けたもので、その軸部５００ｂに、中空部５２２から引き出してネックレス類１の各端部が接続されている。すなわち、指輪３を保持体５００の分割片５００ａに挿し通して分割片５００ａを集合させると、同図（ｂ）に示すように指輪３は軸部３００ｂの外周において底盤部５００ｘ上に位置づけられる。そして、同図（ｂ）→（ｃ）のように軸部５００ｂを本体部５０２ｘの中空部５２２に嵌合させることによって、指輪３を底盤部５００ｘと本体部５０２ｘとの間に位置づけるようにしている。
【００３９】
このように構成すると、ペンダントトップ５０２をネックレス類１から取り外さずとも指輪３の着脱が可能となる機能を維持しつつ、指輪３が幅広な場合などを含めてその幅違いに容易に対応でき、しかも使用状態で軸部５００ｂがほぼ鉛直姿勢となるときに図示のように宝石類３ａが装着された面が正面に向くことが期待できるので、ペンダントトップ５０２の装飾機能が有効に高められることも期待することができる。指輪３は軸部５００ｂに規制されて水平方向に大きく変位することがなく、収まりも良好となる。
【００４０】
特に、保持体５００を本体部５０２ｘから離脱させた際に指輪３を挿し通し易いように分割片５００ｘに分割するようにしているので、本体部５０２ｘと保持体５００とを常時ネックレス類１で接続した状態を保ったままで、指輪３の脱着を適切に行うことが可能となる。
【００４１】
なお、指輪の幅違いに関わらず嵌合深さはほぼ一定であることが望ましいが、嵌合深さを変えて指輪の幅違いにより適切に対応したい場合には、例えば中空部に対して軸部を遊嵌させるようにし、両者の向き合う面に軸部を本体部に保持するためのマグネット等を対面位置に配置しておくこと等が有効となる。
【００４２】
以上、本発明の幾つかの実施形態や変形例について説明したが、これら各実施形態や変形例において、ペンダントトップの形状や模様、素材等は種々に変形して実施することができる。その他、各部の具体的な構成は、上述した実施形態のみに限定されるものではなく、本発明の趣旨を逸脱しない範囲で種々変形が可能である。
【００４３】
また、図９（ａ）のようにペンダントトップ６０２に下げ飾り６０２ｚを設ければ、指輪３を保持させた同図（ｂ）の状態で環状の指穴の中に下げ飾り６０２ｚが位置して、ペンダントトップ６０２及び指輪３の装飾機能が相乗的に高められる効果も期待できるようになる。
【００４４】
さらに、同図(ｃ)のようにペンダントトップ７０２の上方に指輪３が保持されるようにして、ペンダントトップ７０２のほぼ全体が指輪３の内部に収まる形にすれば、上記とはまた別異の相乗的な装飾効果も期待することができる。
【００４５】
さらに、ネックレス類を挿し通すことの可能な挿通部と、指輪を着脱可能に保持する指輪保持部とを備えて本発明のペンダントトップを構成すれば、既存のネックレス類を挿し通すだけで上記のような装身具として有効に利用することができる。
【図面の簡単な説明】
【００４６】
【図１】本発明の第１実施形態を示す斜視図。
【図２】同正面図。
【図３】同側面図。
【図４】同実施形態の変形例を示す図。
【図５】同実施形態の他の変形例を示す図。
【図６】本発明の第２実施形態を示す側面図。
【図７】同実施形態の変形例を示す図。
【図８】本発明の第３実施形態を示す斜視図。
【図９】本発明の上記以外の変形例を示す図。
【符号の説明】
【００４７】
１…ネックレス類
２、１０２、２０２、３０２、４０２、５０２…ペンダントトップ
３…指輪
２２、３２２、４２２、５２２…指輪保持部
２４、２２４、３２４、４２４、５２４…挿脱口
３００、４００…狭窄路
５００…蓋部材
５００ａ…分割片
５０２ｘ…本体部
【図１】
2008113970.tif 000003
【図２】
2008113970.tif 000004
【図３】
2008113970.tif 000005
【図４】
2008113970.tif 000006
【図５】
2008113970.tif 000007
【図６】
2008113970.tif 000008
【図７】
2008113970.tif 000009
【図８】
2008113970.tif 000010
【図９】
2008113970.tif 000011